(57)【要約】【課題】  使用者が通話中に受信波の電界強度を確認することができる携帯端末を提供すること。【解決手段】  本発明に係る携帯電話機１は、送信される電波を、アンテナ１１を介して受信する無線部１２と、無線部１２が受信する電波の電界強度を測定する受信電界強度測定部１４と、受信電界強度測定部１４により測定された電界強度に基づいて、電界強度のレベルに応じた振動動作を、バイブレータ部１６に対して実行させる報知制御手段とを備える。  例えば、報知制御手段は、受信電界強度測定部１４により測定された電界強度に基づいて、電界強度のレベルに応じた所定回数の間欠振動動作を、バイブレータ部１６に対して実行させる。【選択図】          図１
2006157774.tif 000002
【特許請求の範囲】
【請求項１】
送信される電波を、アンテナを介して受信する無線部と、
上記無線部が受信する上記電波の電界強度を測定する測定部と、
上記測定部により測定された電界強度に基づいて、該電界強度レベルに応じた動作を、振動部またはスピーカ部に対して実行させる報知制御手段とを備えた通信端末。
【請求項２】
上記報知制御手段は、上記測定部により測定された電界強度に基づいて、該電界強度レベルに応じた所定回数の間欠動作を、上記振動部または上記スピーカ部に対して実行させることを特徴とする請求項１に記載の通信端末。
【請求項３】
押下されることにより、上記測定部に上記電波の電界強度を測定させる命令信号を、制御部に出力させる測定釦を備え、
上記測定部は、上記制御部からの命令信号に応じて測定を開始し、
上記報知制御手段は、上記測定部により測定された電界強度に基づいて、該電界強度レベルに応じた動作を、上記振動部または上記スピーカ部に対して実行させることを特徴とする請求項１に記載の通信端末。
【請求項４】
上記測定部は、一定時間毎に上記無線部が受信する上記電波の電界強度を測定し、
上記報知制御手段は、上記測定部により測定された電界強度に基づいて、該電界強度レベルに応じた動作を、上記振動部または上記スピーカ部に対して実行させることを特徴とする請求項１に記載の通信端末。
【請求項５】
更に表示部を備え、
上記表示部は、上記測定部により測定された電界強度を表示することを特徴とする請求項１に記載の通信端末。
【請求項６】
送信される電波を受信し、
受信する上記電波の電界強度を測定し、
測定された電界強度に基づいて、該電界強度レベルを振動または音声により報知する電波の電界強度の報知方法。
【発明の詳細な説明】
【技術分野】
【０００１】
この発明は、通信端末および電波の電界強度の報知方法に関する。
【背景技術】
【０００２】
従来技術として、受信電波の電界強度に基づいて通信圏内であるか通信圏外であるかを判定し、通信圏外である場合には、圏外表示を行うとともに、一定時間の計測タイマを作動させ、タイマのタイムアップまでに圏内判定が行われない場合に、音による圏外報知を行う通信端末が記載されている（特許文献１）。
【０００３】
また、別の従来技術として、非常時に音声信号および映像信号を送信するために使用者が操作する非常ボタンが押下されたとき、通信圏内の場合には音声信号及び映像信号を特定の相手に送信し、通信圏外の場合には音声信号及び映像信号の送信を記憶部に待機させるとともに、スピーカ部から音声出力することにより、使用者に通信圏外であることを通知する通信端末が記載されている。また、スピーカ部から音声出力する代わりに、振動部を振動させることにより、使用者に通信圏外であることを通知する通信端末が記載されている（特許文献２）。
【特許文献１】特開２００１−２８５９４４号公報（図１、段落００２５〜段落００２７）
【特許文献２】特開２００４−７２４９９号公報（図１、段落００３５、段落００３６、段落００４１、段落００４２）
【発明の開示】
【発明が解決しようとする課題】
【０００４】
従来の一般的な携帯電話機、携帯情報端末、ＰＨＳ等の通信端末では、受信電波の電界強度は表示部に表示されるため、携帯電話機の受話口を耳に当てて通話する場合、使用者は通話中に受信電波の電界強度を確認することができないという問題があった。
使用者が通話中に受信電波の電界強度を確認できないと、携帯端末が通話不能な電界強度の環境下に移動してしまった時に通話先の相手に何ら通知もできずに、突然通信が遮断されてしまうため、通話先の相手に不快な思いをさせてしまうことがあった。
【０００５】
特許文献１に記載の技術では、通信圏外の状態が継続する時間が一定時間に達したときに音または振動により圏外であることを報知するに過ぎず、使用者は、通話中の受信波の電界強度がどの位であるかを確認することはできなかった。
特許文献２に記載の技術では、非常ボタンを押下したときに通信圏外であった場合に、音により通信圏外であることを報知するに過ぎず、使用者は、通話中の受信波の電界強度がどの位であるかを確認することはできなかった。
【課題を解決するための手段】
【０００６】
本発明に係る通信端末は、送信される電波を、アンテナを介して受信する無線部と、上記無線部が受信する上記電波の電界強度を測定する測定部と、上記測定部により測定された電界強度に基づいて、該電界強度レベルに応じた動作を、振動部またはスピーカ部に対して実行させる報知制御手段とを備えたものである。
このように、無線部が受信する電波の電界強度を測定する測定部と、上記測定部により測定された電界強度に基づいて、該電界強度レベルに応じた動作を、振動部またはスピーカ部に対して実行させる報知制御手段とを備えたので、使用者が通話中に受信波の電界強度を確認することができる。
【発明の効果】
【０００７】
本発明により、使用者が通話中に受信波の電界強度を確認することができる携帯端末、電波の電界強度の報知方法および電波の電界強度の報知手段を提供することができる。
【発明を実施するための最良の形態】
【０００８】
発明の実施の形態１．
本発明の実施の形態１に係る携帯電話機の構成について、図に基づいて説明する。
図１は、本発明の実施の形態１に係る携帯電話機の構成を示す図である。
図１において、携帯電話機１は図示しない他の携帯電話機や有線電話機等との間で、図示しない基地局を介して、音声データや画像データ等を送受信する。
無線部１２は、基地局を経由して他の携帯電話機等から送信される音声データや画像データの変調波を、アンテナ１１を介して受信し、受信した電波を復調した後に音声データや画像データとして制御部１３に入力する。
【０００９】
また、無線部１２はマイク１９から制御部１３に入力される音声データや、制御部１３に入力されるカメラ（不図示）の画像データを変調し、アンテナ１１を介して変調後の音声データや画像データを基地局経由で他の携帯電話機等へ送信する。
測定部としての受信電界強度測定部１４は、制御部１３に含まれており、無線部１２が受信する受信電波の電界強度を測定する。また、受信電界強度測定部１４は受信電波の電界強度の測定値をアナログ−デジタル変換して、変換後の受信電波の電界強度のデジタル信号を受信電界強度換算部１５へ出力する。
受信電界強度換算部１５は、受信電界強度測定部１４から入力される受信電波の電界強度のデジタル信号から、振動部としてのバイブレータ部１６を間欠動作させる回数を判断して、電界強度のレベルに応じた設定回数をカウンタ部１７のレジスタに書き込む。
【００１０】
例えば、受信電波の電界強度のレベルに応じて、６０ｄＢμ以上のときは８回、５０ｄＢμ以上６０ｄＢμ未満のときは７回、４０ｄＢμ以上５０ｄＢμ未満のときは６回、３０ｄＢμ以上４０ｄＢμ未満のときは５回、２０ｄＢμ以上３０ｄＢμ未満のときは４回、１０ｄＢμ以上２０ｄＢμ未満のときは３回、０ｄＢμ以上１０ｄＢμ未満のときは２回、０ｄＢμ未満のときは１回の間欠動作をバイブレータ部１６にさせる設定がされている。なお、バイブレータの間欠動作は例えば２秒動作−１秒停止を１セットとし、複数回の場合には１セットを複数回分繰り返すように設定されている。
【００１１】
カウンタ部１７は制御部１３から入力されるクロック信号に基づいて動作し、受信電界強度換算部１５から入力される設定回数をカウントする。制御部１３は、カウンタ部１７がカウントする設定回数（以下、カウント値とする）に従って、受信電界強度換算部１５から入力される設定回数分の間欠動作をバイブレータ部１６に実行させる。
ここで、受信電界強度換算部１５およびカウンタ部１７は、バイブレータ部１６による報知動作（ここでは振動動作）を制御する報知制御手段として機能する。受信電界強度換算部１５およびカウンタ部１７は、受信電界強度測定部１４により測定された電界強度に基づいて、この電界強度のレベルに応じて予め定められた３種類以上の動作のうちいずれかの動作を、バイブレータ部１６に対して実行させる。
測定釦としての受信電界強度測定キー１８は、押下されることにより、受信電界強度測定部１４に受信電波の電界強度を測定させる命令信号を、制御部１３に出力させる。また、受信電界強度測定キー１８が押下されると、制御部１３からの命令信号に応じて、受信電界強度測定部１４が、受信電波の電界強度の測定を開始する。
【００１２】
スピーカ部１９はアンテナ１１および無線部１２を介して制御部１３に入力される通話先の音声データを音声出力する。
マイク部２０は入力される音声を音声データに変換して制御部１３へ出力する。
表示部２１は、制御部１３からの指示により、受信電界強度測定部１４により測定された電界強度を表示する。
【００１３】
次に、本発明の実施の形態１に係る携帯電話機の受信電波の電界強度の報知動作について、図に基づいて説明する。
図２は、本発明の実施の形態１に係る携帯電話機の受信電波の電界強度の報知フローを示す図である。
図１および図２において、使用者が携帯電話機１の受話口を耳に当てて通話中に受信電波の電界強度を確認したいときに、使用者により受信電界強度測定キー１８が押下されると（ステップ（以下、Ｓと称する）１０１）、受信電界強度測定部１４が受信電波の電界強度を測定する（Ｓ１０２）。
【００１４】
次に、受信電界強度測定部１４は受信電波の電界強度の測定値をアナログ−デジタル変換して、変換後の受信電波の電界強度のデジタル信号を受信電界強度換算部１５へ出力する。
次に、受信電界強度換算部１５は、受信電界強度測定部１４から入力される受信電波の電界強度のデジタル信号が、６０ｄＢμ以上のときは（Ｓ１０３）、８をカウント値としてカウンタ部１７のレジスタに書き込む（Ｓ１０４）。
【００１５】
また、５０ｄＢμ以上６０ｄＢμ未満のときは（Ｓ１０５）、７をカウント値としてカウンタ部１７のレジスタに書き込み（Ｓ１０６）、４０ｄＢμ以上５０ｄＢμ未満のときは（Ｓ１０７）、６をカウント値としてカウンタ部１７のレジスタに書き込み（Ｓ１０８）、３０ｄＢμ以上４０ｄＢμ未満のときは（Ｓ１０９）、５をカウント値としてカウンタ部１７のレジスタに書き込み（Ｓ１１０）、２０ｄＢμ以上３０ｄＢμ未満のときは（Ｓ１１１）、４をカウント値としてカウンタ部１７のレジスタに書き込み（Ｓ１１２）、１０ｄＢμ以上２０ｄＢμ未満のときは（Ｓ１１３）、３をカウント値としてカウンタ部１７のレジスタに書き込み（Ｓ１１４）、０ｄＢμ以上１０ｄＢμ未満のときは（Ｓ１１５）、２をカウント値としてカウンタ部１７のレジスタに書き込み（Ｓ１１６）、０ｄＢμ未満のときは（Ｓ１１５）、１をカウント値としてカウンタ部１７のレジスタに書き込む（Ｓ１１７）。
【００１６】
次に、カウンタ部１７はクロック信号に基づいて動作し、レジスタに書き込まれたカウント値（１〜８）をカウントする。制御部１３はカウンタ部１７のカウント値に従って、受信電界強度換算部１５から入力されるカウント値分の間欠動作（２秒動作−１秒停止を１セット）をバイブレータ部１６に実行させる（Ｓ１１８）。すなわち、受信電界強度換算部１５およびカウンタ部１７は、受信電界強度測定部１４により測定された電界強度に基づいて、この電界強度レベルに応じて予め定められた３種類以上の動作のうちいずれかの動作を、バイブレータ部１６に対して実行させる。また、表示部２１は、制御部１３からの指示により、受信電界強度測定部１４が測定した電界強度を表示する。
【００１７】
このように、無線部１２が受信する電波の電界強度を測定する電界強度測定部１４と、電界強度測定部１４により測定された電界強度に基づいて、電界強度レベルに応じた動作（所定回数の間欠動作）を、バイブレータ部１６に対して実行させる報知制御手段とを備えたので、使用者が携帯電話機１の受話口を耳に当てて通話中であって、表示部２１を目視できない状態となっていても、バイブレータ部１６の振動回数から受信電波の電界強度を確認することができる。
【００１８】
また、更に表示部２１を備え、表示部２１は、制御部１３からの指示により、受信電界強度測定部１４により測定された電界強度を表示するので、使用者が携帯電話機１の受話口を耳に当てて通話中であって、表示部２１を目視できない状態となっていても、バイブレータ部１６の振動回数から受信電波の電界強度を確認することができ、更に受信電界強度測定部１４の実際の測定値を表示部２１の表示により追加確認することができる。
【００１９】
次に、本発明の実施の形態１に係る携帯電話機の別の実施例について、説明する。
図１で示された携帯電話機１では、受信電界強度測定部１４は受信電界強度測定キー１８の押下により制御部１３が出力する命令信号に従って、受信電波の電界強度を測定するのに対し、本発明の実施の形態１に係る携帯電話機の別の実施例では、受信電界強度測定部１４は予め設定された一定時間毎に受信電波の電界強度を測定する点で相違する。
このように、受信電界強度測定部１４が一定時間毎に受信電波の電界強度を測定するので、使用者が携帯電話機１の受話口を耳に当て、表示部２１を目視できない状態で通話中となっていても、バイブレータ部１６の振動回数から受信電波の電界強度を定期的に確認することができる。
【００２０】
発明の実施の形態２．
本発明の実施の形態２に係る携帯電話機の構成について、図に基づいて説明する。
図３は、本発明の実施の形態２に係る携帯電話機の構成を示す図である。
図１に示された本発明の実施の形態１に係る携帯電話機１ではバイブレータ部１６を備えていたのに対し、図３に示された本発明の実施の形態２に係る携帯電話機１ａではバイブレータ部１６に代えて呼出用スピーカ部２２を備え、更にトーン生成部２３も備えている点で相違する。
ここで、受信電界強度換算部１５およびカウンタ部１７は、呼出用スピーカ部２３による報知動作（ここでは音声出力動作）を制御する報知制御手段として機能する。受信電界強度換算部１５およびカウンタ部１７は、受信電界強度測定部１４により測定された電界強度に基づいて、この電界強度のレベルに応じて予め定められた３種類以上の音声出力動作のうちいずれかの音声出力動作を、呼出用スピーカ部２３に対して実行させる。
トーン生成部２３は制御部１３の指示によりトーン信号を生成し、生成したトーン信号を呼出用スピーカ部２３へ出力する。呼出用スピーカ部２３はトーン生成部２２から入力されるトーン信号に従って、トーン音を出力する。
【００２１】
次に、本発明の実施の形態２に係る携帯電話機の受信電波の電界強度の報知動作について、図に基づいて説明する。
図４は、本発明の実施の形態１に係る携帯電話機の受信電波の電界強度の報知フローを示す図である。
図４では、図２のＳ１１８のカウント値分バイブレータ部１６が間欠動作する処理に代えて、Ｓ２１８のカウント値分呼出用スピーカ部２２が間欠してトーン音を出力する処理が設定されている。
【００２２】
図３および図４において、図１および図２と同様に、使用者が携帯電話機１の受話口を耳に当てて通話中に受信電波の電界強度を確認したいときに、使用者により受信電界強度測定キー１８が押下されると（Ｓ１０１）、受信電界強度測定部１４が受信電波の電界強度を測定する（Ｓ１０２）。次に、受信電界強度測定部１４は受信電波の電界強度の測定値をデジタル信号で受信電界強度換算部１５へ出力する。次に、受信電界強度換算部１５は、受信電界強度測定部１４から入力される受信電波の電界強度のデジタル信号に応じて（Ｓ１０３、Ｓ１０５、Ｓ１０７、Ｓ１０９、Ｓ１１１、Ｓ１１３、Ｓ１１５）、所定のカウント値をカウンタ部１７のレジスタに書き込む（Ｓ１０４、Ｓ１０６、Ｓ１０８、Ｓ１１０、Ｓ１１２、Ｓ１１４、Ｓ１１６、Ｓ１１７）。
【００２３】
次に、カウンタ部１７はクロック信号に基づいて動作し、受信電界強度換算部１５から入力されるカウント値（１〜８）をカウントする。制御部１３はカウンタ部１７のカウント値に従って、受信電界強度換算部１５から入力されるカウント値分の間欠動作をトーン生成部２３および呼出用スピーカ部２２に実行させる（Ｓ１１８）。すなわち、受信電界強度換算部１５およびカウンタ部１７は、受信電界強度測定部１４により測定された電界強度に基づいて、この電界強度のレベルに応じて予め定められた３種類以上の音声出力動作のうちいずれかの音声出力動作を、トーン生成部２３および呼出用スピーカ部２２に対して実行させる。なお、トーン生成部２３および呼出用スピーカ部２２の間欠動作は例えば２秒動作−１秒停止を１セットとし、複数回の場合には１セットを複数回分繰り返すように設定されている。また、表示部２１は、制御部１３からの指示により、受信電界強度測定部１４により測定された電界強度を表示する。
【００２４】
このように、無線部１２が受信する電波の電界強度を測定する電界強度測定部１４と、電界強度測定部１４により測定された電界強度に基づいて、電界強度レベルに応じた動作（所定回数の間欠動作）を、呼出用スピーカ部２２に対して実行させる報知制御手段とを備えたので、使用者が携帯電話機１の受話口を耳に当てて通話中であって、表示部２１を目視できない状態となっていても、呼出用スピーカ部２２のトーン音の出力回数から受信電波の電界強度を確認することができる。
【００２５】
また、更に表示部２１を備え、表示部２１は、制御部１３からの指示により、受信電界強度測定部１４により測定された電界強度を表示するようにしたので、使用者が携帯電話機１の受話口を耳に当てて通話中であって、表示部２１を目視できない状態となっていても、受信波の電界強度を確認することができ、更に受信電界強度測定部１４の実際の測定値を表示部２１の表示により追加確認することができる。
【００２６】
なお、本発明の実施の形態２においても、本発明の実施の形態１の別の実施例のように、受信電界強度測定部１４が受信電界強度測定キー１８の押下により制御部１３が出力する命令信号に従って受信電波の電界強度を測定するのに代えて、受信電界強度測定部１４は予め設定された一定時間毎に受信電波の電界強度を測定するようにしてもよい。
このように、受信電界強度測定部１４が一定時間毎に受信電波の電界強度を測定するので、使用者が携帯電話機１の受話口を耳に当て、表示部２１を目視できない状態で通話中となっていても、呼出用スピーカ部２２のトーン音の出力回数から受信電波の電界強度を定期的に確認することができる。
【図面の簡単な説明】
【００２７】
【図１】本発明の実施の形態１に係る携帯電話機の構成を示す図である。
【図２】本発明の実施の形態１に係る携帯電話機の受信電波の電界強度の報知フローを示す図である。
【図３】本発明の実施の形態２に係る携帯電話機の構成を示す図である。
【図４】本発明の実施の形態２に係る携帯電話機の受信電波の電界強度の報知フローを示す図である。
【符号の説明】
【００２８】
１、１ａ  携帯電話機、  １１  アンテナ、  １２  無線部、  １３  制御部、  １４  受信電界強度測定部、  １５  受信電界強度換算部、  １６  バイブレータ部、  １７  カウンタ部、  １８  受信電界強度測定キー、  １９  スピーカ部、  ２０  マイク部、  ２１  表示部、  ２２  呼出用スピーカ部、  ２３  トーン生成部。
【図１】
2006157774.tif 000003
【図２】
2006157774.tif 000004
【図３】
2006157774.tif 000005
【図４】
2006157774.tif 000006